(57)【要約】【課題】  専用の操作部材を追加することなく、画像再生時の操作性を向上させる。【解決手段】  デジタルカメラ２のフォーカスリング１２およびズームリング１３に、その回転方向・速度を検出する第１、第２回転方向・速度センサ４７、４８を設ける。ＣＰＵ４３は、第１、第２回転方向・速度センサ４７、４８による回転方向の検出結果に応じて、ＥＶＦ１８またはＬＣＤ２０で画像の早送り／巻き戻し検索、動画の早送り／巻き戻し再生、コマ送り／コマ戻し再生を行うように、ＥＶＦドライバ３５およびＬＣＤドライバ３６を制御する。また、回転速度の検出結果に応じて、ＥＶＦ１８またはＬＣＤ２０で画像の早送り／巻き戻し検索、動画の早送り／巻き戻し再生、コマ送り／コマ戻し再生の表示速度を変化させるように、ＥＶＦドライバ３５およびＬＣＤドライバ３６を制御する。【選択図】        図３
2005151349.tif 000002
【特許請求の範囲】
【請求項１】
撮像レンズを保持するレンズ鏡胴に回動自在に取り付けられ、前記撮像レンズの撮影パラメータを手動で調整する際に回動操作される操作環と、撮影画像を再生表示する画像表示手段とを備えたデジタルカメラにおいて、
前記操作環の回転方向を検出する回転方向検出手段と、
前記回転方向の検出結果に応じて、前記画像表示手段による前記撮影画像の再生表示状態を制御する表示制御手段とを設けたことを特徴とするデジタルカメラ。
【請求項２】
前記操作環の回転速度を検出する回転速度検出手段を設けるとともに、
前記表示制御手段は、前記回転速度の検出結果に応じて、前記画像表示手段による前記撮影画像の再生表示状態を制御することを特徴とする請求項１に記載のデジタルカメラ。
【発明の詳細な説明】
【技術分野】
【０００１】
本発明は、フォーカスリングやズームリングなどの操作環と、撮影画像を再生表示する画像表示手段とを備えたデジタルカメラに関する。
【背景技術】
【０００２】
最近、静止画撮影だけでなく、動画を撮影する機能を備えたデジタルカメラが普及している。このようなデジタルカメラでは、撮影した動画を備え付けの液晶表示器（ＬＣＤ）に再生表示して鑑賞することが可能となっている。また、再生表示する画像の早送り／巻き戻し検索、動画の早送り／巻き戻し再生、コマ送り／コマ戻し再生を行うために、十字キーなどの専用の操作部材が設けられている（特許文献１参照）。
【０００３】
【特許文献１】特開２００１−２１１４０８号公報
【発明の開示】
【発明が解決しようとする課題】
【０００４】
特許文献１に記載のデジタルカメラのように、画像再生時の各種操作を行うために専用の操作部材を設けると、部品コストが嵩み、また、設置スペースを確保するために、部品レイアウトが制約されるなどの不都合が生じる。さらに、近年のデジタルカメラの小型化に伴って、操作部材のサイズも小さくなっているため、ユーザーにとっては扱い難く、誤って操作をするおそれがある。
【０００５】
本発明は、上記課題を鑑みてなされたものであり、専用の操作部材を追加することなく、画像再生時の操作性を向上させることができるデジタルカメラを提供することを目的とする。
【課題を解決するための手段】
【０００６】
上記目的を達成するために、本発明は、撮像レンズを保持するレンズ鏡胴に回動自在に取り付けられ、前記撮像レンズの撮影パラメータを手動で調整する際に回動操作される操作環と、撮影画像を再生表示する画像表示手段とを備えたデジタルカメラにおいて、前記操作環の回転方向を検出する回転方向検出手段と、前記回転方向の検出結果に応じて、前記画像表示手段による前記撮影画像の再生表示状態を制御する表示制御手段とを設けたことを特徴とする。
【０００７】
なお、前記操作環の回転速度を検出する回転速度検出手段を設けるとともに、前記表示制御手段は、前記回転速度の検出結果に応じて、前記画像表示手段による前記撮影画像の再生表示状態を制御することが好ましい。
【発明の効果】
【０００８】
本発明のデジタルカメラによれば、操作環の回転方向を検出する回転方向検出手段と、回転方向の検出結果に応じて、画像表示手段による撮影画像の再生表示状態を制御する表示制御手段とを設けたので、専用の操作部材を追加することなく、画像再生時の操作性を向上させることができる。
【発明を実施するための最良の形態】
【０００９】
図１および図２において、本発明を適用したデジタルカメラ２の前面には、撮像レンズ１０を保持するレンズ鏡胴１１が組み込まれている。レンズ鏡胴１１には、フォーカスリング１２と、ズームリング１３とが設けられている。フォーカスリング１２とズームリング１３とは、レンズ鏡胴１１の外周に回動自在に取り付けられている。
【００１０】
フォーカスリング１２は、撮像レンズ１０の焦点を手動で合わせる際に、ズームリング１３は、撮像レンズ１０のズーム倍率を手動で変倍させる際に、それぞれ回動操作される。また、後述するように、フォーカスリング１２とズームリング１３とは、再生表示する画像の早送り／巻き戻し検索、動画の早送り／巻き戻し再生、コマ送り／コマ戻し再生を行う際にも回動操作される。
【００１１】
デジタルカメラ２の上面には、レリーズボタン１４、電源スイッチ１５、およびモードダイヤル１６が設けられており、側面には、メモリカード４２（図３参照）が着脱自在に装填されるメモリカードスロットを覆う蓋１７が設けられている。
【００１２】
デジタルカメラ２の背面には、電子ビューファインダ（ＥＶＦ）１８を構成するファインダ接眼窓１９、液晶表示器（ＬＣＤ）２０、ズーム操作ボタン２１、およびメニューボタン２２などが設けられている。ＥＶＦ１８およびＬＣＤ２０には、撮影した画像やいわゆるスルー画像、各種メニュー画面が表示される。ズーム操作ボタン２１は、撮像レンズ１０のズーム倍率をワイド側、テレ側に変倍する際に押圧操作される。メニューボタン２２は、ＬＣＤ２０にメニュー画面を表示させたり、選択内容を決定する際、動画の再生・一時停止、ＥＶＦ１８とＬＣＤ２０の表示切替を行う際などに操作される。
【００１３】
レリーズボタン１４は、２段階押しのスイッチとなっている。ＥＶＦ１８またはＬＣＤ２０によるフレーミングの後に、レリーズボタン１４を軽く押圧（半押し）すると、自動露光調整（ＡＥ）、自動焦点調整（ＡＦ）などの各種撮影準備処理が施される。この状態でレリーズボタン１４をもう１度強く押圧（全押し）すると、撮影準備処理が施された１画面分の撮像信号が画像データに変換された後、後述する画像処理および圧縮処理が施され、メモリカード４２に記録される。
【００１４】
デジタルカメラ２では、静止画撮影を行う静止画撮影モード、動画撮影を行う動画撮影モード、撮影した画像をＥＶＦ１８またはＬＣＤ２０に表示する再生モード、および各種設定を行う設定モードが選択可能となっている。これらのモードの切り替えは、モードダイヤル１６を回動操作させることで行われる。なお、動画撮影モードでは、動画の撮影とともに、前面に設けられたマイクロホン２３を介して周囲の音声が収録される。
【００１５】
デジタルカメラ２の電気的構成を示す図３において、撮像レンズ１０の背後には、撮像レンズ１０から入射する被写体光を撮像信号に変換するＣＣＤ３０が配置されている。ＣＣＤ３０で変換された撮像信号は、相関二重サンプリング回路（ＣＤＳ）３１に入力される。ＣＤＳ３１は、ＣＣＤ３０から入力された撮像信号を、ＣＣＤ３０の各セルの蓄積電荷量に正確に対応したＲ、Ｇ、Ｂの画像データとして出力する。
【００１６】
ＣＤＳ３１から出力された画像データは、増幅器（図示せず）で増幅される。Ａ／Ｄ変換器３２は、増幅器で増幅された画像データをデジタルデータに変換する。Ａ／Ｄ変換器３２から出力されたデジタルの画像データは、画像信号処理回路３３に送信される。
【００１７】
画像信号処理回路３３は、階調変換、ホワイトバランス補正、γ補正処理などの各種画像処理を画像データに施す。画像信号処理回路３３で各種処理を施された画像データは、ＳＤＲＡＭ３４に一旦格納される。このＳＤＲＡＭ３４に格納された画像データは、ＥＶＦドライバ３５を介してＥＶＦ１８に表示される。あるいは、ＬＣＤドライバ３６によりコンポジット信号に変換され、ＬＣＤ２０に表示される。
【００１８】
マイクロホン２３から収録された音声は、Ａ／Ｄ変換器（Ａ／Ｄ）３７によりデジタルの音声データに変換され、音声信号処理回路３８に入力される。音声信号処理回路３８は、入力されたデジタルの音声データに対して、ノイズ除去などの各種音声処理を施す。
【００１９】
ＹＣ処理回路３９は、画像信号処理回路３３で各種処理を施された画像データをＳＤＲＡＭ３４から読み出して、輝度信号Ｙと色差信号Ｃｒ、Ｃｂとに変換する。圧縮伸長処理回路４０は、この変換された画像データに対して、所定の圧縮形式（例えばＪＰＥＧ形式）で画像圧縮を施す。圧縮伸長処理回路４０により圧縮された画像データは、カードＩ／Ｆ４１を介してメモリカード４２に記録される。
【００２０】
ＣＰＵ４３は、バス４４を介して各部に接続し、デジタルカメラ２全体の動作を統括制御する。ＣＰＵ４３には、前述のレリーズボタン１４、ズーム操作ボタン２１やメニューボタン２２などの操作部４５の他に、ＥＥＰＲＯＭ４６、第１、第２回転方向・速度検出センサ（以下、第１、第２センサと略記する。）４７、４８が接続されている。ＥＥＰＲＯＭ４６には、各種制御用のプログラムや設定情報などが記録されている。ＣＰＵ４３は、これらの情報をＥＥＰＲＯＭ４６から作業用メモリであるＳＤＲＡＭ３４に読み出して、各種処理を実行する。
【００２１】
第１、第２センサ４７、４８は、フォーカスリング１２およびズームリング１３の回転方向・速度を検出し、これらの検出結果をＣＰＵ４３に送信する。なお、回転方向を検出する方法としては、例えば、フォーカスリング１２およびズームリング１３の内側に沿って、位相差をずらして２種類の凹凸を設けておき、この２種類の凹凸を２つのフォトインタラプタで検出する。また、回転速度は、フォトインタラプタによる凹凸の検出波形から凸部分の検出回数をカウントするなどして検出する。
【００２２】
モードダイヤル１６で再生モードが選択され、フォーカスリング１２の回転方向が時計回りであると第１センサ４７で検出した場合、ＣＰＵ４３は、ＥＶＦ１８またはＬＣＤ２０で再生表示する画像の早送り検索を行うように、ＥＶＦドライバ３５およびＬＣＤドライバ３６を制御する。一方、回転方向が反時計回りであると検出した場合は、画像の巻き戻し検索を行うように制御する。
【００２３】
ＥＶＦ１８またはＬＣＤ２０で動画の再生表示が行われている状態で、ズームリング１３の回転方向が時計回りであると第２センサ４８で検出した場合、ＣＰＵ４３は、ＥＶＦ１８またはＬＣＤ２０で動画の早送り再生を行うように、ＥＶＦドライバ３５およびＬＣＤドライバ３６を制御する。一方、回転方向が反時計回りであると検出した場合は、動画の巻き戻し再生を行うように制御する。
【００２４】
ＥＶＦ１８またはＬＣＤ２０で動画の再生表示が一時停止されている状態で、ズームリング１３の回転方向が時計回りであると第２センサ４８で検出した場合、ＣＰＵ４３は、ＥＶＦ１８またはＬＣＤ２０で動画のコマ送り再生を行うように、ＥＶＦドライバ３５およびＬＣＤドライバ３６を制御する。一方、回転方向が反時計回りであると検出した場合は、動画のコマ戻し再生を行うように制御する。
【００２５】
また、ＣＰＵ４３は、第１、第２センサ４７、４８から送信されるフォーカスリング１２およびズームリング１３の回転速度の検出結果に応じて、ＥＶＦ１８またはＬＣＤ２０で再生表示する画像の早送り／巻き戻し検索、動画の早送り／巻き戻し再生、コマ送り／コマ戻し再生の表示速度を変化させるように、ＥＶＦドライバ３５およびＬＣＤドライバ３６を制御する。すなわち、回転速度の検出結果が予め設定された閾値よりも大きい場合、高速で上記の表示を行い、閾値よりも小さい場合は、低速で表示を行うように制御する。
【００２６】
次に、上記構成を有するデジタルカメラ２の動作について、図４〜図６のフローチャートを参照して説明する。まず、モードダイヤル１６が回動操作され、静止画撮影モード、若しくは動画撮影モードが選択された場合、撮像レンズ１０を介して入射した被写体光は、ＣＣＤ３０により光電変換され、ＣＤＳ３１でサンプリングされる。
【００２７】
ＣＤＳ３１から出力された画像データは、増幅器で増幅され、Ａ／Ｄ３２でデジタルの画像データに変換される。デジタル変換された画像データは、画像信号処理回路３３で各種画像処理が施され、ＳＤＲＡＭ３４に順次格納される。ＳＤＲＡＭ３４に格納された画像データは、ＥＶＦドライバ３５またはＬＣＤドライバ３６を介して、ＥＶＦ１８またはＬＣＤ２０にスルー画像として表示される。この状態でレリーズボタン１４が半押しされると、自動露光調整（ＡＥ）、自動焦点調整（ＡＦ）などの各種撮影準備処理が施される。
【００２８】
撮影準備処理後、レリーズボタン１４の全押しにより撮影が実行されると、静止画撮影モード下では、そのときＳＤＲＡＭ３４に格納されている画像データがＹＣ処理回路３９に読み出され、輝度信号Ｙと色差信号Ｃｒ、Ｃｂとに変換された後、圧縮伸長処理回路４０で圧縮処理が施され、カードＩ／Ｆ４１を経由してメモリカード４２に記録される。
【００２９】
一方、動画撮影モード下では、レリーズボタン１４が再度全押しされるまで、一定のフレームレート（例えば３０フレーム／秒）で画像データが記録される。また、これと同時にマイクロホン２３を介して周囲の音声が収録される。マイクロホン２３から収録された音声は、Ａ／Ｄ３７によりデジタルの音声データに変換され、音声信号処理回路３８にて各種音声処理が施された後、画像データと関連付けられてメモリカード４２に記録される。
【００３０】
図４に示すように、モードダイヤル１６が回動操作され、再生モードが選択されると、ＥＶＦ１８またはＬＣＤ２０には、直前に撮影された画像が表示される。この状態でフォーカスリング１２が回転されると、第１センサ４７でその回転方向・速度が検出され、この検出結果がＣＰＵ４３に送信される。
【００３１】
フォーカスリング１２の回転方向が時計回りであると第１センサ４７で検出され、且つ回転速度の検出結果が予め設定された閾値よりも大きかった場合、ＥＶＦ１８またはＬＣＤ２０では、再生表示する画像の高速早送り検索が行われる。また、回転速度の検出結果が予め設定された閾値よりも小さかった場合は、低速早送り検索が行われる。
【００３２】
一方、回転方向が反時計回りであると検出され、且つ回転速度の検出結果が予め設定された閾値よりも大きかった場合、ＥＶＦ１８またはＬＣＤ２０では、画像の高速巻き戻し検索が行われ、回転速度の検出結果が予め設定された閾値よりも小さかった場合は、画像の低速巻き戻し検索が行われる。この早送り／巻き戻し検索は、フォーカスリング１２の回転が停止される（鑑賞したい画像が表示される）まで実行される。
【００３３】
図５に示すように、ＥＶＦ１８またはＬＣＤ２０で動画の再生表示が行われている状態で、ズームリング１３の回転方向が時計回りであると第２センサ４８で検出され、且つ回転速度の検出結果が予め設定された閾値よりも大きかった場合、ＥＶＦ１８またはＬＣＤ２０では、動画の高速早送り再生が行われる。また、回転速度の検出結果が予め設定された閾値よりも小さかった場合は、低速早送り再生が行われる。
【００３４】
一方、回転方向が反時計回りであると検出され、且つ回転速度の検出結果が予め設定された閾値よりも大きかった場合、ＥＶＦ１８またはＬＣＤ２０では、動画の高速巻き戻し再生が行われ、回転速度の検出結果が予め設定された閾値よりも小さかった場合は、画像の低速巻き戻し再生が行われる。この早送り／巻き戻し再生は、ズームリング１３の回転が停止されるまで実行される。
【００３５】
図６に示すように、ＥＶＦ１８またはＬＣＤ２０で動画の再生表示が一時停止されている状態で、ズームリング１３の回転方向が時計回りであると第２センサ４８で検出され、且つ回転速度の検出結果が予め設定された閾値よりも大きかった場合、ＥＶＦ１８またはＬＣＤ２０では、動画の高速コマ送り再生が行われる。また、回転速度の検出結果が予め設定された閾値よりも小さかった場合は、低速コマ送り再生が行われる。
【００３６】
一方、回転方向が反時計回りであると検出され、且つ回転速度の検出結果が予め設定された閾値よりも大きかった場合、ＥＶＦ１８またはＬＣＤ２０では、動画のコマ戻し再生が行われ、回転速度の検出結果が予め設定された閾値よりも小さかった場合は、動画の低速コマ戻し再生が行われる。このコマ送り／コマ戻し再生は、ズームリング１３の回転が停止されるまで実行される。
【００３７】
図４において、モードダイヤル１６が回動操作され、モードが再生モードから他のモードに移行した場合には、撮像レンズ１０を初期状態に戻すデフォルト処理が施される。このように、既存の部品であるフォーカスリング１２またはズームリング１３を回転させることにより、再生モード下における画像の早送り／巻き戻し検索、動画の早送り／巻き戻し再生、コマ送り／コマ戻し再生を行うことができるので、専用の操作部材を追加することなく、画像再生時の操作性を向上させることができる。
【００３８】
なお、ＬＣＤ２０で画像の再生表示を行っている場合にのみ有効となる操作部材を設けてもよい。また、上記実施形態では、フォーカスリング１２で画像の早送り／巻き戻し検索、ズームリング１３で動画の早送り／巻き戻し再生、コマ送り／コマ戻し再生を実行させるようにしたが、これらの機能を逆にしてもよく、また、フォーカスリング１２、ズームリング１３のうち、いずれか一方のみに全ての機能を持たせてもよい。さらに、フォーカスリング１２やズームリング１３に限らず、例えば絞り切替用の操作環に上記機能を付与してもよい。
【図面の簡単な説明】
【００３９】
【図１】本発明のデジタルカメラの正面外観斜視図である。
【図２】デジタルカメラの背面図である。
【図３】デジタルカメラの電気的構成を示すブロック図である。
【図４】画像検索時の処理手順を示すフローチャートである。
【図５】動画再生時の処理手順を示すフローチャートである。
【図６】動画再生時の処理手順を示すフローチャートである。
【符号の説明】
【００４０】
２  デジタルカメラ
１０  撮像レンズ
１１  レンズ鏡胴
１２  フォーカスリング
１３  ズームリング
１４  レリーズボタン
１６  モードダイヤル
１８  電子ビューファインダ（ＥＶＦ）
２０  液晶表示器（ＬＣＤ）
３０  ＣＣＤ
３３  画像信号処理回路
３４  ＳＤＲＡＭ
３５  ＥＶＦドライバ
３６  ＬＣＤドライバ
３８  音声信号処理回路
４２  メモリカード
４３  ＣＰＵ
４７、４８  第１、第２回転方向・速度検出センサ（第１、第２センサ）
【図１】
2005151349.tif 000003
【図２】
2005151349.tif 000004
【図３】
2005151349.tif 000005
【図４】
2005151349.tif 000006
【図５】
2005151349.tif 000007
【図６】
2005151349.tif 000008